(57)【要約】【課題】パララックスバリアと等価な機能を導光板を用いて実現すると共に、所望の配光特性の照明光が得られるようにする。【解決手段】第１の照明光を照射する１または複数の第１の光源と、複数の散乱エリアを有し、前記第１の照明光を前記複数の散乱エリアで散乱させることによって外部に出射させる導光板と、前記導光板に対して、前記第１の照明光の所定の出射方向に対向配置され、前記導光板から出射された前記第１の照明光の配光特性を変化させる光学部材とを備える。【選択図】図１
2014029356.tif 000002
【特許請求の範囲】
【請求項１】
画像表示を行う表示部と、
前記表示部に向けて画像表示用の光を出射する光源デバイスと
を含み、
前記光源デバイスは、
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた表示装置。
【請求項２】
前記導光板から出射される前記第１の照明光は、前記導光板の表面に対して法線方向に比べて斜め方向に輝度が高い配光特性を有し、
前記光学部材は、前記法線方向の輝度を上げるように前記第１の照明光の配光特性を変化させる
請求項１に記載の表示装置。
【請求項３】
前記光学部材は、少なくとも屈折作用により、入射した光の進行方向を変化させる部分を複数有する
請求項１に記載の表示装置。
【請求項４】
前記光の進行方向を変化させる部分は、第１の斜面と第２の斜面と、前記第１の斜面と前記第２の斜面とが交差する稜線とを有するプリズムであり、
前記複数の散乱エリアはそれぞれ、所定の方向に連続的に延在するパターン、または所定の方向に部分的に間隙を有して延在するパターンで配置され、
前記各プリズムの稜線と前記各散乱エリアの延在する方向とが直交している
請求項３に記載の表示装置。
【請求項５】
前記導光板は、複数の側面を有し、
前記第１の光源は、前記導光板の少なくとも１つの前記側面に対向配置され、
前記各散乱エリアは、表面に複数の凹凸形状を形成することにより光散乱特性が付加され、かつ、前記凹凸形状の密度が、前記第１の光源からの距離に応じて変化する構造とされている
請求項１に記載の表示装置。
【請求項６】
前記各散乱エリアは、前記第１の光源からの距離が離れるに従って前記凹凸形状の密度が高くなる構造とされている
請求項５に記載の表示装置。
【請求項７】
前記導光板に対向配置され、前記第１の光源とは異なる方向から前記導光板に向けて第２の照明光を照射する第２の光源をさらに備え、
前記光学部材は、前記第１の照明光の配光特性を変化させると共に、前記導光板から出射された前記第２の光源の配光特性をも変化させる
請求項１に記載の表示装置。
【請求項８】
前記第２の照明光は、前記導光板の表面に対して法線方向に比べて斜め方向に輝度が高い配光特性を有し、
前記光学部材は、前記法線方向の輝度を上げるように前記第２の照明光の配光特性を変化させる
請求項７に記載の表示装置。
【請求項９】
前記表示部は、３次元画像データに基づく複数の視点画像と２次元画像データに基づく画像とを選択的に切り替え表示するものであり、
前記第２の光源は、前記表示部に前記複数の視点画像を表示する場合には、非点灯状態に制御され、前記表示部に前記２次元画像データに基づく画像を表示する場合には、点灯状態に制御される
請求項７に記載の表示装置。
【請求項１０】
前記第１の光源は、前記表示部に前記複数の視点画像を表示する場合には、点灯状態に制御され、前記表示部に前記２次元画像データに基づく画像を表示する場合には、非点灯状態または点灯状態に制御される
請求項９に記載の表示装置。
【請求項１１】
前記導光板に対して、前記所定の出射方向とは反対側に対向配置され、前記所定の出射方向とは反対側に出射する前記第１の照明光を、前記導光板に戻す反射部材をさらに備えた
請求項１に記載の表示装置。
【請求項１２】
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた光源デバイス。
【請求項１３】
表示装置を備え、
前記表示装置は、
画像表示を行う表示部と、
前記表示部に向けて画像表示用の光を出射する光源デバイスと
を含み、
前記光源デバイスは、
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた電子機器。
【発明の詳細な説明】
【技術分野】
【０００１】
本開示は、パララックスバリア（視差バリア）方式による立体視を可能にする光源デバイスおよび表示装置、ならびに電子機器に関する。
【背景技術】
【０００２】
特殊な眼鏡を装着する必要がなく、裸眼で立体視が可能な立体表示方式の一つとして、パララックスバリア方式の立体表示装置が知られている。この立体表示装置は、２次元表示パネルの前面（表示面側）に、パララックスバリアを対向配置したものである。パララックスバリアの一般的な構造は、２次元表示パネルからの表示画像光を遮蔽する遮蔽部と、表示画像光を透過するストライプ状の開口部（スリット部）とを水平方向に交互に設けたものである。
【０００３】
パララックスバリア方式では、２次元表示パネルに立体視用の視差画像（２視点の場合には右眼用視点画像と左眼用視点画像）を空間分割して表示し、その視差画像をパララックスバリアによって水平方向に分離することで立体視が行われる。パララックスバリアにおけるスリット幅などを適切に設定することで、所定の位置、方向から観察者が立体表示装置を見た場合に、スリット部を介して観察者の左右の眼に異なる視差画像の光を別々に入射させることができる。
【０００４】
なお、２次元表示パネルとして例えば透過型の液晶表示パネルを用いる場合、２次元表示パネルの背面側にパララックスバリアを配置する構成も可能である（特許文献１の図１０、特許文献２の図３参照）。この場合、パララックスバリアは、透過型の液晶表示パネルとバックライトとの間に配置される。
【先行技術文献】
【特許文献】
【０００５】
【特許文献１】特許第３５６５３９１号公報（図１０）
【特許文献２】特開２００７−１８７８２３号公報（図３）
【発明の概要】
【発明が解決しようとする課題】
【０００６】
しかしながら、パララックスバリア方式の立体表示装置では、パララックスバリアという３次元表示用の専用部品を必要とするため、部品点数と配置スペースが通常の２次元表示用の表示装置に比べて多く必要になってしまうという問題がある。
【０００７】
本開示の目的は、パララックスバリアと等価な機能を導光板を用いて実現すると共に、所望の配光特性の照明光が得られるようにした光源デバイスおよび表示装置、ならびに電子機器を提供することにある。
【課題を解決するための手段】
【０００８】
本開示による光源デバイスは、第１の照明光を照射する１または複数の第１の光源と、複数の散乱エリアを有し、第１の照明光を複数の散乱エリアで散乱させることによって外部に出射させる導光板と、導光板に対して、第１の照明光の所定の出射方向に対向配置され、導光板から出射された第１の照明光の配光特性を変化させる光学部材とを備えたものである。
【０００９】
本開示による表示装置は、画像表示を行う表示部と、表示部に対向配置され、表示部に向けて画像表示用の光を出射する光源デバイスとを備え、その光源デバイスを、上記本開示の光源デバイスで構成したものである。
【００１０】
また、本開示による電子機器は、上記本開示による表示装置を備えたものである。
【００１１】
本開示による光源デバイス、表示装置または電子機器では、第１の光源からの第１の照明光が散乱エリアによって散乱され、導光板の外部に出射される。これにより、第１の照明光に対しては、導光板自体にパララックスバリアとしての機能を持たせることが可能となる。すなわち、等価的に、散乱エリアを開口部（スリット部）としたパララックスバリアとして機能させることができる。これにより、３次元表示に対応することが可能となる。
また、導光板から出射された第１の照明光の配光特性が、光学部材によって変化する。
【発明の効果】
【００１２】
本開示の光源デバイス、表示装置または電子機器によれば、導光板に第１の照明光を散乱させる複数の散乱エリアを設けるようにしたので、第１の照明光に対しては、等価的に、導光板自体にパララックスバリアとしての機能を持たせることができる。
また、導光板から出射された第１の照明光の配光特性を変化させる光学部材を備えるようにしたので、所望の配光特性の照明光を得ることができる。
【図面の簡単な説明】
【００１３】
【図１】本開示の第１の実施の形態に係る表示装置の一構成例を示す断面図である。
【図２】表示部の画素構造の一例を示す平面図である。
【図３】第１の光源のみをオン（点灯）状態にした場合における光線の出射状態の一例を示す断面図である。
【図４】第１の光源のみをオン（点灯）状態にした場合における面内発光パターンの一例を示す平面図である。
【図５】第２の光源のみをオン（点灯）状態にした場合における光線の出射状態の一例を示す断面図である。
【図６】第２の光源のみをオン（点灯）状態にした場合における面内発光パターンの一例を示す平面図である。
【図７】第１の光源を上下方向に配置した場合における散乱エリアの第１の構成例を示す説明図である。
【図８】第１の光源を上下方向に配置した場合における散乱エリアの第２の構成例を示す説明図である。
【図９】第１の光源を１つのみ配置した場合における散乱エリアの構成例を示す説明図である。
【図１０】第１の光源を左右方向に配置した場合における散乱エリアの構成例を示す説明図である。
【図１１】第１の光源からの出射光の配光特性と第２の光源からの出射光の配光特性との一例を示す断面図である。
【図１２】第１の光源からの出射光の配光特性または第２の光源からの出射光の配光特性の一例を示す説明図である。
【図１３】逆プリズムの構成例を示す断面図である。
【図１４】逆プリズムシートによる配光特性の変化の一例を示す断面図である。
【図１５】逆プリズムシートによる配光特性の変化の一例を示す説明図である。
【図１６】第１の光源からの出射光の配光特性の一例を示す平面図および断面図である。
【図１７】第１の領域における第１の光源からの出射光の配光特性の一例を示す特性図である。
【図１８】第２の領域における第１の光源からの出射光の配光特性の一例を示す特性図である。
【図１９】第３の領域における第１の光源からの出射光の配光特性の一例を示す特性図である。
【図２０】第１の光源を１つのみ配置した場合における、逆プリズムシートによる配光特性の変化の一例を示す断面図である。
【図２１】第１の光源を１つのみ配置した場合における、逆プリズムシートによる配光特性の変化の一例を示す説明図である。
【図２２】第１の光源を上下方向に配置した場合における散乱エリアのパターンと逆プリズムの稜線との関係を示す平面図である。
【図２３】第１の光源を左右方向に配置した場合における散乱エリアのパターンと逆プリズムの稜線との関係を示す平面図である。
【図２４】面内発光パターンの観察方向の説明図である。
【図２５】散乱エリアのパターンと逆プリズムの稜線とを直交させた場合において、導光板を正面方向からみたときの発光の様子を拡大して示した平面図である。
【図２６】散乱エリアのパターンと逆プリズムの稜線とを直交させなかった場合において、導光板を正面方向からみたときの発光の様子を拡大して示した第１の例を示す平面図である。
【図２７】散乱エリアのパターンと逆プリズムの稜線とを直交させなかった場合において、導光板を正面方向からみたときの発光の様子を拡大して示した第２の例を示す平面図である。
【図２８】散乱エリアのパターンと逆プリズムの稜線とを直交させることによる効果を示す断面図である。
【図２９】第１の光源からの出射光の水平方向の配光特性の一例を示す特性図である。
【図３０】第１の光源からの出射光の垂直方向の配光特性の一例を示す特性図である。
【図３１】第２の光源からの出射光の水平方向の配光特性の一例を示す特性図である。
【図３２】第２の光源からの出射光の垂直方向の配光特性の一例を示す特性図である。
【図３３】第２の実施の形態に係る表示装置の一構成例を示す断面図である。
【図３４】上向きプリズムの構成例を示す断面図である。
【図３５】第３の実施の形態に係る表示装置の一構成例を示す断面図である。
【図３６】第４の実施の形態に係る表示装置の一構成例を示す断面図である。
【図３７】第５の実施の形態に係る表示装置の第１の構成例を示す断面図である。
【図３８】第５の実施の形態に係る表示装置の第２の構成例を示す断面図である。
【図３９】散乱エリアのパターンの変形例を示す平面図である。
【図４０】電子機器の一例を示す外観図である。
【発明を実施するための形態】
【００１４】
以下、本開示の実施の形態について図面を参照して詳細に説明する。なお、説明は以下の順序で行う。
１．第１の実施の形態
配光特性を変化させる光学部材として逆プリズムシートを配置した構成例。
２．第２の実施の形態
配光特性を変化させる光学部材として上向きプリズムシートを配置した構成例。
３．第３の実施の形態
逆プリズムシートの配置位置の変形例。
４．第４の実施の形態
反射部材を備えた構成例。
５．第５の実施の形態
第２の光源の変形例。
６．その他の実施の形態
電子機器の構成例等
【００１５】
＜１．第１の実施の形態＞
［表示装置の全体構成］
図１は、本開示の第１の実施の形態に係る表示装置の一構成例を示している。この表示装置は、画像表示を行う表示部１と、表示部１の背面側に配置され、表示部１に向けて画像表示用の光を出射する光源デバイスとを備えている。光源デバイスは、第１の光源２（２Ｄ／３Ｄ表示用光源）と、導光板３と、第２の光源７（２Ｄ表示用光源）とを備えている。導光板３は、表示部１側に対向配置される第１の内部反射面３Ａと、第２の光源７側に対向配置される第２の内部反射面３Ｂとを有している。さらに、表示部１と導光板３との間に配置された逆プリズムシート５０を有している。なお、この表示装置は、その他にも、表示に必要な表示部１用の制御回路等を備えているが、その構成は一般的な表示用の制御回路等と同様であるので、その説明を省略する。また、光源デバイスは、図示しないが、第１の光源２および第２の光源７のオン（点灯）・オフ（非点灯）制御を行う制御回路を備えている。
【００１６】
なお、本実施の形態では、表示部１の表示面（画素の配列面）、または導光板３の第２の内部反射面３Ｂに平行な面内における第１の方向（垂直方向）をＹ方向、第１の方向に直交する第２の方向（水平方向）をＸ方向とする。
【００１７】
この表示装置は、全画面での２次元（２Ｄ）表示モードと、全画面での３次元（３Ｄ）表示モードとを任意に選択的に切り替えることが可能とされている。２次元表示モードと３次元表示モードとの切り替えは、表示部１に表示する画像データの切り替え制御と、第１の光源２および第２の光源７のオン・オフの切り替え制御とを行うことで可能となっている。図３は、第１の光源２のみをオン（点灯）状態にした場合における光源デバイスからの光線の出射状態を模式的に示しているが、これは３次元表示モードに対応している。この第１の光源２のみをオン（点灯）状態にした場合における導光板３からの出射光の面内発光パターンの一例を、図４に示す。図５は、第２の光源７のみをオン（点灯）状態にした場合における光源デバイスからの光線の出射状態を模式的に示しているが、これは２次元表示モードに対応している。この第２の光源７のみをオン（点灯）状態にした場合における導光板３からの出射光の面内発光パターンの一例を、図６に示す。
【００１８】
表示部１は、透過型の２次元表示パネル、例えば透過型の液晶表示パネルを用いて構成され、例えば図２に示したように、Ｒ（赤色）用画素１１Ｒ、Ｇ（緑色）用画素１１Ｇ、およびＢ（青色）用画素１１Ｂからなる画素を複数有し、それら複数の画素がマトリクス状に配置されている。表示部１は、光源デバイスからの光を画像データに応じて画素を各色ごとに変調させることで２次元的な画像表示を行うようになっている。表示部１には、３次元画像データに基づく複数の視点画像と２次元画像データに基づく画像とが任意に選択的に切り替え表示されるようになっている。なお、３次元画像データとは、例えば、３次元表示における複数の視野角方向に対応した複数の視点画像を含むデータである。例えば２眼式の３次元表示を行う場合、右眼表示用と左眼表示用の視点画像のデータである。３次元表示モードでの表示を行う場合には、例えば、１画面内にストライプ状の複数の視点画像が含まれる合成画像を生成して表示する。
【００１９】
第１の光源２は、例えば、ＣＣＦＬ（Cold Cathode Fluorescent Lamp）等の蛍光ランプや、ＬＥＤ（Light Emitting Diode）を用いて構成されている。第１の光源２は、導光板３内部に向けて側面方向から第１の照明光Ｌ１（図３）を照射するようになっている。第１の光源２は、導光板３の側面に少なくとも１つ配置されている。例えば、導光板３の平面形状が四角形である場合、側面は４つとなるが、第１の光源２は、少なくともいずれか１つの側面に配置されていれば良い。図１では、導光板３における互いに対向する２つの側面に第１の光源２を配置した構成例を示している。第１の光源２は、２次元表示モードと３次元表示モードとの切り替えに応じて、オン（点灯）・オフ（非点灯）制御されるようになっている。具体的には第１の光源２は、表示部１に３次元画像データに基づく画像を表示する場合（３次元表示モードの場合）には点灯状態に制御されると共に、表示部１に２次元画像データに基づく画像を表示する場合（２次元表示モードの場合）には非点灯状態または点灯状態に制御されるようになっている。
【００２０】
第２の光源７は、導光板３に対して第２の内部反射面３Ｂが形成された側に対向配置されている。第２の光源７は、第１の光源２とは異なる方向から導光板３に向けて第２の照明光Ｌ１０を照射するようになっている。より具体的には、第２の光源７は、第２の内部反射面３Ｂに向けて外側（導光板３の背面側）から第２の照明光Ｌ１０を照射するようになっている（図５参照）。第２の光源７は、面状光源であれば良い。例えばＣＣＦＬやＬＥＤ等の発光体を内蔵し、その発光体からの出射光を拡散する光拡散板とを用いた構造などが考えられる。第２の光源７は、２次元表示モードと３次元表示モードとの切り替えに応じて、オン（点灯）・オフ（非点灯）制御されるようになっている。具体的には第２の光源７は、表示部１に３次元画像データに基づく画像を表示する場合（３次元表示モードの場合）には非点灯状態に制御されると共に、表示部１に２次元画像データに基づく画像を表示する場合（２次元表示モードの場合）には点灯状態に制御されるようになっている。
【００２１】
導光板３は、例えばアクリル樹脂等による透明なプラスチック板により構成されている。導光板３は、第２の内部反射面３Ｂ以外の面は、全面に亘って透明とされている。例えば、導光板３の平面形状が四角形である場合、第１の内部反射面３Ａと、４つの側面とが全面に亘って透明とされている。
【００２２】
第１の内部反射面３Ａは、全面に亘って鏡面加工がなされており、導光板３内部において全反射条件を満たす入射角で入射した光線を内部全反射させると共に、全反射条件から外れた光線を外部に出射するようになっている。
【００２３】
第２の内部反射面３Ｂは、散乱エリア３１と全反射エリア３２とを有している。散乱エリア３１は、後述するように、導光板３の表面にレーザ加工やサンドブラスト加工などすることで、光散乱特性が付加されている。第２の内部反射面３Ｂにおいて、散乱エリア３１は３次元表示モードにしたときに、第１の光源２からの第１の照明光Ｌ１に対してパララックスバリアとしての開口部（スリット部）として機能し、全反射エリア３２は遮蔽部として機能するようになっている。第２の内部反射面３Ｂにおいて、散乱エリア３１と全反射エリア３２は、パララックスバリアに相当する構造となるようなパターンで設けられている。すなわち、全反射エリア３２はパララックスバリアにおける遮蔽部に相当するパターンで設けられ、散乱エリア３１はパララックスバリアにおける開口部に相当するパターンで設けられている。なお、パララックスバリアのバリアパターンとしては例えば、縦長のスリット状の開口部が遮蔽部を介して水平方向に多数、並列配置されたようなストライプ状のパターン等、種々のタイプのものを用いることができ、特定のものには限定されない。図４では、縦方向に延在する散乱エリア３１を複数、ストライプ状に並列配置した場合における導光板３からの出射光（第１の光源２からの出射光Ｌ２０（図３））の面内発光パターンの一例を示している。
【００２４】
第１の内部反射面３Ａと第２の内部反射面３Ｂにおける全反射エリア３２は、全反射条件を満たす入射角θ１で入射した光線を内部全反射させる（所定の臨界角αよりも大きい入射角θ１で入射した光線を内部全反射させる）ようになっている。これにより、全反射条件を満たす入射角θ１で入射した第１の光源２からの第１の照明光Ｌ１は、第１の内部反射面３Ａと第２の内部反射面３Ｂにおける全反射エリア３２との間で、内部全反射により側面方向に導光されるようになっている。全反射エリア３２はまた、図５に示したように、第２の光源７からの第２の照明光Ｌ１０を透過させ、第１の内部反射面３Ａに向けて全反射条件を外れた光線として出射するようになっている。
【００２５】
なお、導光板３の屈折率をｎ１、導光板３の外側の媒質（空気層）の屈折率をｎ０（＜ｎ１）とすると臨界角αは、以下で表される。α，θ１は、導光板表面の法線に対する角度とする。全反射条件を満たす入射角θ１は、θ１＞αとなる。
ｓｉｎα＝ｎ０／ｎ１
【００２６】
散乱エリア３１は、図３に示したように、第１の光源２からの第１の照明光Ｌ１を散乱反射させ、第１の照明光Ｌ１の少なくとも一部の光を第１の内部反射面３Ａに向けて全反射条件を外れた光線を出射光線Ｌ２０として出射するようになっている。
【００２７】
逆プリズムシート５０は、導光板３に対して、第１の照明光Ｌ１の所定の出射方向（表示部１が配置された方向）に対向配置されている。逆プリズムシート５０は、複数の逆プリズム５１を有している。逆プリズムシート５０は、導光板３から出射された第１の照明光Ｌ１（出射光線Ｌ２０）の配光特性および第２の照明光Ｌ１０の配光特性を変化させることで、導光板３からの出射光が所望の配光特性となるように最適化するものである。逆プリズムシート５０による配光特性の最適化についての詳細は後述する。
【００２８】
［表示装置の基本動作］
この表示装置において、３次元表示モードでの表示を行う場合、表示部１には３次元画像データに基づく画像表示を行うと共に、第１の光源２と第２の光源７とを３次元表示用にオン（点灯）・オフ（非点灯）制御する。具体的には、図３に示したように、第１の光源２をオン（点灯）状態にすると共に、第２の光源７をオフ（非点灯）状態に制御する。この状態では、第１の光源２からの第１の照明光Ｌ１は、導光板３において第１の内部反射面３Ａと第２の内部反射面３Ｂの全反射エリア３２との間で、繰り返し内部全反射されることにより、第１の光源２が配置された側の一方の側面から、対向する他方の側面へと導光され、他方の側面から出射される。その一方で、第１の光源２による第１の照明光Ｌ１の一部が、導光板３の散乱エリア３１で散乱反射されることで、導光板３の第１の内部反射面３Ａを透過し、導光板３の外部に出射される。この場合の導光板３からの出射光（第１の光源２からの出射光Ｌ２０（図３））の面内発光パターンは、例えば図４に示したようになる。これにより、導光板自体にパララックスバリアとしての機能を持たせることが可能となる。すなわち、第１の光源２による第１の照明光Ｌ１に対しては、等価的に、散乱エリア３１を開口部（スリット部）とし、全反射エリア３２を遮蔽部とするようなパララックスバリアとして機能させることができる。これにより、等価的に、表示部１の背面側にパララックスバリアを配置したパララックスバリア方式による３次元表示が行われる。
【００２９】
一方、２次元表示モードでの表示を行う場合には、表示部１には２次元画像データに基づく画像表示を行うと共に、第１の光源２と第２の光源７とを２次元表示用にオン（点灯）・オフ（非点灯）制御する。具体的には、例えば図５に示したように、第１の光源２をオフ（非点灯）状態にすると共に、第２の光源７をオン（点灯）状態に制御する。この場合、第２の光源７による第２の照明光Ｌ１０が、第２の内部反射面３Ｂにおける全反射エリア３２を透過することで、第１の内部反射面３Ａのほぼ全面から、全反射条件を外れた光線となって導光板３の外部に出射される。この場合の導光板３からの出射光（第２の光源７からの出射光）の面内発光パターンは、例えば図６に示したようになる。すなわち導光板３は、通常のバックライトと同様の面状光源として機能する。これにより、等価的に、表示部１の背面側に通常のバックライトを配置したバックライト方式による２次元表示が行われる。
【００３０】
なお、第２の光源７のみを点灯させたとしても導光板３のほぼ全面から、第２の照明光Ｌ１０が出射されるが、必要に応じて、第１の光源２を点灯するようにしても良い。これにより、例えば、第２の光源７のみを点灯しただけでは、散乱エリア３１と全反射エリア３２とに対応する部分で輝度分布に差が生じるような場合、第１の光源２の点灯状態を適宜調整する（オン・オフ制御、または点灯量の調整をする）ことで全面に亘って輝度分布を最適化することが可能である。ただし、２次元表示を行う場合において、例えば表示部１側で十分に輝度の補正を行える場合には、第２の光源７のみの点灯で構わない。
【００３１】
［散乱エリア３１の具体的な構成例］
図７〜図１０を参照して、散乱エリア３１の具体的な構成例を説明する。図７〜図１０ではいずれも、縦方向に連続的に延在する散乱エリア３１を複数、ストライプ状に並列配置した場合の構成例を示している。散乱エリア３１は、表面に複数の凹凸形状４１を形成することにより光散乱特性が付加されている。かつ、凹凸形状４１の密度が、第１の光源２からの距離に応じて変化する構造とされている。散乱エリア３１の幅が延在方向で一定であるものとした場合、凹凸形状４１の密度を第１の光源２からの距離に関わらず一定にすると、第１の光源２からの距離が近いほど導光板３から出射される光の量が多くなり、第１の光源２からの距離が近いほど出射光の輝度が高くなってしまう。これにより、面内輝度が不均一になってしまう。第１の光源２からの距離に応じて凹凸形状４１の密度を変化させることで、この面内輝度の不均一性を改善することができる。
【００３２】
図７は、導光板３における上下方向（Ｙ方向）の第１の側面および第２の側面に、第１の光源２を対向配置した場合の散乱エリア３１の第１の構成例を示している。この構成例では、散乱エリア３１に対応する導光板３の表面に、例えばレーザ加工やサンドブラスト加工などにより、微小な複数の凹凸形状４１が形成されることによって光散乱特性が付加されている。さらに、その凹凸形状４１の密度が、図７に示したように、第１の光源２からの距離（導光板３の第１の側面および第２の側面からの距離）に応じて変化する構造とされている。具体的には、第１の光源２からの距離が離れるに従って凹凸形状４１の密度が高くなるようにしている。第１の光源２はＹ方向の２つの側面に配置されているので、Ｙ方向の中央部では最も密度が高くなる構造となる。第１の光源２から離れるほど凹凸形状４１の密度を高くすることで、光が散乱エリア３１に入射した時に、凹凸形状４１の部分に当たる確率を高くする。凹凸形状４１の部分に当たる確率が高くなると、光が拡散反射して導光板３の外部に出射する確率も高くなる。すなわち、輝度が向上する。
【００３３】
図８は、導光板３における上下方向（Ｙ方向）の第１の側面および第２の側面に、第１の光源２を対向配置した場合の散乱エリア３１の第２の構成例を示している。この構成例では、１つの散乱エリア３１が、図８に示したように、全体として凸状の立体的なパターンとなっている。そして、その立体パターンの表面（界面）に、例えばレーザ加工やサンドブラスト加工などにより、微小な複数の凹凸形状４１が形成されることによって光散乱特性が付加されている。その凹凸形状４１の密度が、図７の構成例と同様に、第１の光源２からの距離（導光板３の第１の側面および第２の側面からの距離）に応じて変化する構造とされている。
【００３４】
図９は、導光板３における上下方向（Ｙ方向）の第１の側面にのみ、第１の光源２を対向配置した場合の散乱エリア３１の構成例を示している。この構成例は、図７の構成例に対して第１の光源２を１つのみ配置した場合の構成例となっている。第１の光源２はＹ方向の第１の側面（上側の側面）にのみ配置されているので、第１の側面に近くなるほど凹凸形状４１の密度が低く、Ｙ方向の第２の側面（下側の側面）に近くなるほど密度が高くなる構造となっている。なお、この構成例においても、図８の構成例と同様に１つの散乱エリア３１を全体として凸状の立体的なパターンで構成してもよい。
【００３５】
図１０は、導光板３における左右方向（Ｘ方向）の第３の側面および第４の側面に、第１の光源２を対向配置した場合の散乱エリア３１の構成例を示している。この構成例では、図７の構成例に対して第１の光源２がＸ方向に配置されているので、Ｘ方向の中央部では最も密度が高くなる構造となる。また、Ｘ方向の第３の側面および第４の側面に近くなるほど凹凸形状４１の密度が低くなる構造となっている。なお、この構成例においても、図８の構成例と同様に１つの散乱エリア３１を全体として凸状の立体的なパターンで構成してもよい。
【００３６】
なお、第１の光源２による出射光の輝度分布を図７〜図１０のような構成で改善する場合、第２の光源７からの出射光の配光特性を第１の光源２による出射光の配光特性に近づけるような構成にすることが好ましい。例えば、上記した散乱エリア３１の構成と同様に、例えばサンドブラスト加工によって第２の光源７の前面に微小な複数の凹凸形状を形成させることが好ましい。
【００３７】
［逆プリズムシート５０による配光特性の最適化］
上記した図７〜図１０のような構成にすることによって、第１の光源２からの距離に起因する面内輝度分布の不均一性を改善することができる。その一方で、散乱エリア３１における凹凸形状４１の荒れ具合によっては、導光板３からの出射光の配光特性が所望の状態から変化してまう場合がある。例えば図１１および図１２に示したように、第１の光源２からの出射光が正面方向に向かず、正面輝度が低くなってしまう。すなわち、第１の光源２からの出射光は、導光板３の表面に対して法線方向に比べて斜め方向に輝度が高い配光特性を有してしまう。図１２では、図１１に示したように、第１の光源２からの出射光のＹ方向の角度Ｙθにおける配光特性を示している。また、図１２では、導光板３における上下方向（Ｙ方向）の第１の側面および第２の側面に、第１の光源２を対向配置した場合における配光特性を示している。なお、第２の光源７の構成を、上記したように第１の光源２による出射光の配光特性に近づけるような構成にした場合には、同様の配光特性の変化が生ずる。
【００３８】
このような配光特性の変化は、例えば図１６〜図１９に示したように、面内の位置によっても違いが生ずる。図１７は、図１６に示したようにＹ方向の上側（第１の領域７１Ａ）における第１の光源２からの出射光の配光特性の一例を示している。図１８は、図１６に示したように中央部（第２の領域７１Ｂ）における第１の光源２からの出射光の配光特性の一例を示している。図１９は、図１６に示したようにＹ方向の下側（第３の領域７１Ｃ）における第１の光源２からの出射光の配光特性の一例を示している。図１７〜図１９では、図１２と同様にＹ方向の角度Ｙθにおける配光特性を示している。また、図１７〜図１９では、導光板３における上下方向（Ｙ方向）の第１の側面および第２の側面に、第１の光源２を対向配置した場合における配光特性を示している。
【００３９】
逆プリズムシート５０は、図１３から図１５に示したように、導光板３から出射される光を正面方向（導光板３の表面に対して法線方向）にシフトさせることで、上記したような配光特性の変化を改善する。逆プリズムシート５０の各逆プリズム５１は、図１３に示したように、第１の斜面５３と第２の斜面５４と、第１の斜面５３と第２の斜面５４とが交差する稜線５２とを有している。図１３および図１４に示したように、逆プリズム５１の第１の斜面５３と第２の斜面５４とにおいて、屈折作用と全反射作用とにより、導光板３から出射される光の進行方向を変化させる。
【００４０】
上記したように、第１の光源２および第２の光源７のそれぞれについて、導光板３からの出射光は、導光板３の表面に対して法線方向に比べて斜め方向に輝度が高い配光特性を有している。逆プリズムシート５０は、第１の光源２および第２の光源７のそれぞれについて、その配光特性を改善するよう、少なくとも法線方向の輝度を上げるように導光板３からの出射光の配光特性を変化させる。さらに好ましくは、斜め方向の輝度を下げるように導光板３からの出射光の配光特性を変化させる。これにより、逆プリズムシート５０を経た後の出射光は、図１５に点線で示したように、正面方向に最も高い輝度を有するような配光特性となる。
【００４１】
なお、以上では導光板３における上下方向（Ｙ方向）の第１の側面および第２の側面に第１の光源２を対向配置した場合の逆プリズムシート５０による効果を述べたが、左右方向（Ｘ方向）の第３の側面および第４の側面に第１の光源２を対向配置した場合（図１０）についても同様である。
【００４２】
また、例えば図２０および図２１に示したように、第１の光源２を１つのみ配置した場合においても同様に配光特性を改善することができる。図２０および図２１では、導光板３における上下方向（Ｙ方向）の第１の側面にのみ、第１の光源２を対向配置した場合の例を示している。この場合、導光板３からの出射光は、図２１に実線で示したように、第１の光源２が配置された側とは逆方向の斜め方向に輝度が高い配光特性を有している。この場合においても、逆プリズムシート５０は、その配光特性を改善するよう、少なくとも法線方向の輝度を上げるように導光板３からの出射光の配光特性を変化させる。さらに好ましくは、斜め方向の輝度を下げるように導光板３からの出射光の配光特性を変化させる。これにより、逆プリズムシート５０を経た後の出射光は、図２１に点線で示したように、正面方向に最も高い輝度を有するような配光特性となる。
【００４３】
以上のようにして逆プリズムシート５０によって配光特性の最適化を行うことができるが、この場合、逆プリズムシート５０における各プリズムの稜線５２と各散乱エリア３１の延在する方向とが直交していることが好ましい。これは、図２２に示したように導光板３における上下方向（Ｙ方向）の第１の側面および第２の側面に第１の光源２を対向配置した場合だけでなく、図２３に示したように左右方向（Ｘ方向）の第３の側面および第４の側面に第１の光源２を対向配置した場合についても同様である。
【００４４】
このように直交させた配置にしないと、第１の光源２によって３Ｄ表示をさせた場合に、不必要な領域が発光した状態となり、クロストークが増大する。また、クロストークを抑制するために、逆プリズムシート５０は材料にヘイズのような体積散乱物が無く、また、プリズム面および表示部１側の平面は鏡面に近いことが望ましい。
【００４５】
図２５は、直交させた配置にした場合において、導光板３を正面方向からみたときの第１の光源２による発光の様子を拡大して示している。図２５では散乱エリア３１に対応する部分のみが発光した状態となっている。これに対して、図２６および図２７は、直交させなかった場合における第１の光源２による発光の様子を拡大して示している。図２６および図２７では散乱エリア３１に対応する部分以外の不必要な領域が発光してしまっている。このような状態では、３Ｄ表示をさせた場合にクロストークが発生する。なお、図２５〜図２７は、図２４に示したように、逆プリズムシート５０の表面に対して法線方向から観察した状態を示している。
【００４６】
逆プリズムシート５０における各プリズムの稜線５２と各散乱エリア３１の延在方向との関係によって、図２５〜図２７に示したような発光状態の違いが生じる理由を、図２８を参照して説明する。図２８は、導光板３における散乱エリア３１のパターンと平行な方向の断面Ａ−Ａ’（図２２参照）における光線の振る舞いを示している。図２８では、導光板３における上下方向（Ｙ方向）に上側光源２−２と下側光源２−１とを配置した場合の例を示している。図２８では、下側光源２−１からの出射光線Ｌ２１を実線で、上側光源２−２からの出射光線Ｌ２２を点線で記載している。このような２つの方向から光が入射する場合、導光板３からの出射光は２方向にピークを持つ。逆プリズム５１の稜線５２と散乱エリア３１の延在方向とを直交させることによって、下側光源２−１からの出射光と上側光源２−２からの出射光とが、平行状態を保ったまま真上に出射する。このため、逆プリズム５１の稜線５２と散乱エリア３１の延在方向とが直交していないと、下側光源２−１からの出射光線Ｌ２１と上側光源２−２からの出射光線Ｌ２２とがパターン直上に出射されなくなり，図２６または図２７に示したような状態になってしまう。
【００４７】
［効果］
以上説明したように、本実施の形態に係る表示装置によれば、導光板３の第２の内部反射面３Ｂに散乱エリア３１と全反射エリア３２とを設け、第１の光源２による第１の照明光Ｌ１と、第２の光源７による第２の照明光Ｌ１０とを選択的に導光板３の外部に出射可能にしたので、等価的に、導光板３自体にパララックスバリアとしての機能を持たせることができる。これにより、従来のパララックスバリア方式の立体表示装置に比べて部品点数を少なくし、省スペース化を図ることができる。
【００４８】
また、本実施の形態に係る表示装置によれば、散乱エリア３１の凹凸形状４１の密度分布を第１の光源２からの距離に応じて変化させるようにしたので、３次元表示における輝度分布を改善して面内輝度分布の均一化を図ることができる。さらに、導光板３からの出射光の配光特性を変化させる光学部材としての逆プリズムシート５０を備えるようにしたので、散乱エリア３１に凹凸形状４１を設けたことによる配光特性の変化を改善し、所望の配光特性の照明光を得ることができる。
【００４９】
［逆プリズムシート５０による効果の検証］
逆プリズムシート５０による効果の検証をするために、以下の２点について測定を実施した。逆プリズムシート５０としては、頂角６５°、ピッチ１８μｍのものを使用した。
（１）散乱エリア３１にサンドブラスト加工によって複数の凹凸形状４１を形成した導光板３と、逆プリズムシート５０とを組み合わせることによって、導光板３からの出射光の配光方向が正面方向に向くかの検証
（２）第２の光源７に面状に散乱エリア３１と同様のサンドブラスト加工をした導光板を用いることによって、逆プリズムシート５０を経た後の出射光の配光方向が正面方向に向くかの検証
【００５０】
図２９は、第１の光源２からの出射光の水平方向（Ｘ方向）の配光特性を示している。図３０は、第１の光源２からの出射光の垂直方向（Ｙ方向）の配光特性を示している。図２９および図３０では、逆プリズムシート５０を経た後の第１の光源２からの出射光の配光特性と、逆プリズムシート５０を設けなかった場合の第１の光源２からの出射光の配光特性とを同時に示している。図２９および図３０に示すように、第１の光源２から出射される光は、逆プリズムシート５０を通過後に、正面方向に向くことを確認した。
【００５１】
図３１は、第２の光源７からの出射光の水平方向（Ｘ方向）の配光特性を示している。図３２は、第２の光源７からの出射光の垂直方向（Ｙ方向）の配光特性の一例を示している。図３１および図３２では、逆プリズムシート５０を経た後の第２の光源７からの出射光の配光特性と、逆プリズムシート５０を設けなかった場合の第２の光源７からの出射光の配光特性とを同時に示している。図３１および図３２に示すように、第２の光源７から出射される光の配光特性は、第１の光源２とほぼ等しくなり、逆プリズムシート５０を通過後に正面方向に向くことを確認した。
【００５２】
＜２．第２の実施の形態＞
次に、第２の実施の形態に係る表示装置について説明する。なお、上記第１の実施の形態に係る表示装置と実質的に同一の構成部分には同一の符号を付し、適宜説明を省略する。
【００５３】
図３３は、本開示の第２の実施の形態に係る表示装置の構成例を示している。この表示装置は、図１の表示装置における逆プリズムシート５０に代えて、光学部材として上向きプリズムシート５０Ａを備えたものである。
【００５４】
上向きプリズムシート５０Ａは、上記第１の実施の形態における逆プリズムシート５０と同様に、導光板３から出射される光を正面方向にシフトさせることで、上記したような配光特性の変化を改善する。上向きプリズムシート５０Ａは、複数の上向きプリズム５１Ａを有している。各上向きプリズム５１Ａは、図３４に示したように、第１の斜面５３Ａと第２の斜面５４Ａと、第１の斜面５３Ａと第２の斜面５４Ａとが交差する稜線５２Ａとを有している。図３４に示したように、各上向きプリズム５１Ａの第１の斜面５３Ａと第２の斜面５４Ａとにおいて、少なくとも屈折作用によって、導光板３から出射される光の進行方向を変化させる。
【００５５】
＜３．第３の実施の形態＞
次に、本開示の第３の実施の形態に係る表示装置について説明する。なお、上記第１または第２の実施の形態に係る表示装置と実質的に同一の構成部分には同一の符号を付し、適宜説明を省略する。
【００５６】
図３５は、第３の実施の形態に係る表示装置の構成例を示している。図１の表示装置では、逆プリズムシート５０と表示部１とが間隔を空けて配置されているが、本実施の形態に係る表示装置では、逆プリズムシート５０と表示部１とが互いに貼り合わせられた構成となっている。
【００５７】
このように逆プリズムシート５０と表示部１とを互いに貼り合わせた場合の効果を検証した。貼り合わせなかった場合と貼り合わせた場合とについて、第１の光源２によって３Ｄ表示をさせた場合におけるクロストーク量を測定した。貼り合わせなかった場合に比べて、貼り合わせた場合の方が、クロストーク量が１２．６％から８．８％に低減することを確認した。これは、表示部１と逆プリズムシート５０とを貼り合わせることによって空気界面が減るためである。
【００５８】
＜４．第４の実施の形態＞
次に、本開示の第４の実施の形態に係る表示装置について説明する。なお、上記第１ないし第３の実施の形態に係る表示装置と実質的に同一の構成部分には同一の符号を付し、適宜説明を省略する。
【００５９】
図３６は、第４の実施の形態に係る表示装置の構成例を示している。この表示装置は、図１の表示装置に対して、反射部６１を有する透明または半透明の基板６０をさらに備えたものである。基板６０は、導光板３に対して、第１の光源２からの光の出射方向とは反対側（表示部１とは反対側）に対向配置されている。反射部６１は、第１の光源２からの光が、本来の出射方向とは反対側に出射しないように、第１の光源２からの光を導光板３に戻す役割を有している。反射部６１は、散乱エリア３１に対応する位置に設けられている。反射部６１を設けることによって、光の利用効率を高めることができる。
【００６０】
反射部６１は、例えば基板６０上に成膜された金属で構成されている。反射部６１を構成する金属は、ＡｌやＡｇといった分光特性の良好な高反射率のものが望ましい。基板６０は図３６の構成例のように、導光板３に対して間隔を空けて配置されていても良いし、反射部６１と散乱エリア３１とが密着するように配置されていても良い。また、反射部６１を基板６０上に形成するのではなく、導光板３における散乱エリア３１に対応する表面部分に、直接的に、金属成膜するなどしても良い。また、反射部６１を金属膜でなく、白インキのような散乱樹脂で構成しても良い。
【００６１】
さらに、反射部６１を有する基板６０に代えて、減光フィルタを配置するようにしても良い。
【００６２】
＜５．第５の実施の形態＞
次に、本開示の第５の実施の形態に係る表示装置について説明する。なお、上記第１ないし第４の実施の形態に係る表示装置と実質的に同一の構成部分には同一の符号を付し、適宜説明を省略する。
【００６３】
上記第１の実施の形態では、第２の光源７からの出射光の配光特性を第１の光源２による出射光の配光特性に近づけるために、例えばサンドブラスト加工によって第２の光源７の前面に微小な複数の凹凸形状を形成させる例を挙げたが、それとは異なる構成であっても良い。図３７および図３８に、第２の光源７の変形例を示す。
【００６４】
図３７に示した第２の光源７Ａは、導光板方式の面光源であり、光源部８１と、導光板８２とを有している。導光板８２はプリズム導光板であり、底面にプリズム部８３を有している。プリズム部８３は鏡面となっている。
【００６５】
図３８に示した第２の光源７Ｂは、導光板方式の面光源であり、光源部９１と、導光板９２とを有している。さらに、第２の光源７Ｂの光の出射側に第２の逆プリズムシート９３を備えている。第２の光源７Ｂは面状光源であり、面内で一様な配光特性を有している。第２の逆プリズムシート９３は、第２の光源７Ｂからの出射光の配光特性を第１の光源２による出射光の配光特性に近づけるためのものである。
【００６６】
なお、図３８では、第２の光源７Ｂをエッジライト方式の面光源としているが、直下型の面光源であっても良い。
【００６７】
＜６．その他の実施の形態＞
本開示による技術は、上記各実施の形態の説明に限定されず種々の変形実施が可能である。
例えば、上記各実施の形態に係る表示装置はいずれも、表示機能を有する種々の電子機器に適用可能である。図４０は、そのような電子機器の一例としてテレビジョン装置の外観構成を表している。このテレビジョン装置は、フロントパネル２１０およびフィルターガラス２２０を含む映像表示画面部２００を備えている。
【００６８】
また、上記各実施の形態では、導光板３において、散乱エリア３１と全反射エリア３２とを第２の内部反射面３Ｂ側に設けた構成例について説明したが、第１の内部反射面３Ａ側に設けた構成であっても良い。
【００６９】
また、上記各実施の形態では、配光特性を変化させる光学部材として逆プリズムシート５０、または上向きプリズムシート５０Ａの例を挙げたが、少なくとも屈折作用により、入射した光の進行方向を変化させるような部分を複数有するものであれば、その他の光学部材を用いても良い。例えば光の進行方向を変化させる部分として、屈折作用を有する複数のレンズが設けられたような、レンズシートであっても良い。
【００７０】
また、上記各実施の形態では、縦方向に連続的に延在する散乱エリア３１を複数、ストライプ状に並列配置した場合の構成例を示したが、例えば図３９に示したように、部分的に間隙を有して縦方向に延在するパターンであっても良い。
【００７１】
また、上記各実施の形態では、図７等に示したように、散乱エリア３１の表面に複数の凹凸形状４１を形成することにより光散乱特性を付加するようにしたが、白インクのような光散乱特性を有する材料を塗布するなどしても良い。
【００７２】
また例えば、本技術は以下のような構成を取ることができる。
（１）
画像表示を行う表示部と、
前記表示部に向けて画像表示用の光を出射する光源デバイスと
を含み、
前記光源デバイスは、
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた表示装置。
（２）
前記導光板から出射される前記第１の照明光は、前記導光板の表面に対して法線方向に比べて斜め方向に輝度が高い配光特性を有し、
前記光学部材は、前記法線方向の輝度を上げるように前記第１の照明光の配光特性を変化させる
上記（１）に記載の表示装置。
（３）
前記光学部材は、少なくとも屈折作用により、入射した光の進行方向を変化させる部分を複数有する
上記（１）または（２）に記載の表示装置。
（４）
前記光の進行方向を変化させる部分は、第１の斜面と第２の斜面と、前記第１の斜面と前記第２の斜面とが交差する稜線とを有するプリズムであり、
前記複数の散乱エリアはそれぞれ、所定の方向に連続的に延在するパターン、または所定の方向に部分的に間隙を有して延在するパターンで配置され、
前記各プリズムの稜線と前記各散乱エリアの延在する方向とが直交している
上記（３）に記載の表示装置。
（５）
前記導光板は、複数の側面を有し、
前記第１の光源は、前記導光板の少なくとも１つの前記側面に対向配置され、
前記各散乱エリアは、表面に複数の凹凸形状を形成することにより光散乱特性が付加され、かつ、前記凹凸形状の密度が、前記第１の光源からの距離に応じて変化する構造とされている
上記（１）ないし（４）のいずれか１つに記載の表示装置。
（６）
前記各散乱エリアは、前記第１の光源からの距離が離れるに従って前記凹凸形状の密度が高くなる構造とされている
上記（５）に記載の表示装置。
（７）
前記導光板に対向配置され、前記第１の光源とは異なる方向から前記導光板に向けて第２の照明光を照射する第２の光源をさらに備え、
前記光学部材は、前記第１の照明光の配光特性を変化させると共に、前記導光板から出射された前記第２の光源の配光特性をも変化させる
上記（１）ないし（６）のいずれか１つに記載の表示装置。
（８）
前記第２の照明光は、前記導光板の表面に対して法線方向に比べて斜め方向に輝度が高い配光特性を有し、
前記光学部材は、前記法線方向の輝度を上げるように前記第２の照明光の配光特性を変化させる
上記（７）に記載の表示装置。
（９）
前記表示部は、３次元画像データに基づく複数の視点画像と２次元画像データに基づく画像とを選択的に切り替え表示するものであり、
前記第２の光源は、前記表示部に前記複数の視点画像を表示する場合には、非点灯状態に制御され、前記表示部に前記２次元画像データに基づく画像を表示する場合には、点灯状態に制御される
上記（７）に記載の表示装置。
（１０）
前記第１の光源は、前記表示部に前記複数の視点画像を表示する場合には、点灯状態に制御され、前記表示部に前記２次元画像データに基づく画像を表示する場合には、非点灯状態または点灯状態に制御される
上記（９）に記載の表示装置。
（１１）
前記導光板に対して、前記所定の出射方向とは反対側に対向配置され、前記所定の出射方向とは反対側に出射する前記第１の照明光を、前記導光板に戻す反射部材をさらに備えた
上記（１）ないし（１０）のいずれか１つに記載の表示装置。
（１２）
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた光源デバイス。
（１３）
表示装置を備え、
前記表示装置は、
画像表示を行う表示部と、
前記表示部に向けて画像表示用の光を出射する光源デバイスと
を含み、
前記光源デバイスは、
第１の照明光を照射する１または複数の第１の光源と、
複数の散乱エリアを有し、前記第１の照明光を前記複数の散乱エリアで散乱させることによって外部に出射させる導光板と、
前記導光板に対して、前記第１の照明光の所定の出射方向に対向配置され、前記導光板から出射された前記第１の照明光の配光特性を変化させる光学部材と
を備えた電子機器。
【符号の説明】
【００７３】
１…表示部、２…第１の光源、２−１…下側光源、２−２…上側光源、３…導光板、３Ａ…第１の内部反射面、３Ｂ…第２の内部反射面、７，７Ａ，７Ｂ…第２の光源、１１Ｒ…赤色用画素、１１Ｇ…緑色用画素、１１Ｂ…青色用画素、３１…散乱エリア、３２…全反射エリア、４１…凹凸形状、５０…逆プリズムシート、５０Ａ…上向きプリズムシート、５１…逆プリズム、５１Ａ…上向きプリズム、５２…稜線、５３，５３Ａ…第１の斜面、５４，５４Ａ…第２の斜面、６０…基板、６１…反射部、７１Ａ…第１の領域、７１Ｂ…第２の領域、７１Ｃ…第３の領域、８１…光源部、８２…導光板、８３…プリズム部、９１…光源部、９２…導光板、９３…第２の逆プリズムシート、２００…映像表示画面部、２１０…フロントパネル、２２０…フィルターガラス、Ｌ１…第１の照明光、Ｌ１０…第２の照明光，Ｌ２０，Ｌ２１，Ｌ２２…出射光線。
【図１】
2014029356.tif 000003
【図２】
2014029356.tif 000004
【図３】
2014029356.tif 000005
【図４】
2014029356.tif 000006
【図５】
2014029356.tif 000007
【図６】
2014029356.tif 000008
【図７】
2014029356.tif 000009
【図８】
2014029356.tif 000010
【図９】
2014029356.tif 000011
【図１０】
2014029356.tif 000012
【図１１】
2014029356.tif 000013
【図１２】
2014029356.tif 000014
【図１３】
2014029356.tif 000015
【図１４】
2014029356.tif 000016
【図１５】
2014029356.tif 000017
【図１６】
2014029356.tif 000018
【図１７】
2014029356.tif 000019
【図１８】
2014029356.tif 000020
【図１９】
2014029356.tif 000021
【図２０】
2014029356.tif 000022
【図２１】
2014029356.tif 000023
【図２２】
2014029356.tif 000024
【図２３】
2014029356.tif 000025
【図２４】
2014029356.tif 000026
【図２５】
2014029356.tif 000027
【図２６】
2014029356.tif 000028
【図２７】
2014029356.tif 000029
【図２８】
2014029356.tif 000030
【図２９】
2014029356.tif 000031
【図３０】
2014029356.tif 000032
【図３１】
2014029356.tif 000033
【図３２】
2014029356.tif 000034
【図３３】
2014029356.tif 000035
【図３４】
2014029356.tif 000036
【図３５】
2014029356.tif 000037
【図３６】
2014029356.tif 000038
【図３７】
2014029356.tif 000039
【図３８】
2014029356.tif 000040
【図３９】
2014029356.tif 000041
【図４０】
2014029356.tif 000042